(57)【特許請求の範囲】
【請求項１】
円周方向に順次凹部と凸部が設けられ回転する円盤状の磁性体である検出板と、該検出板の回転速度を検出する電気・磁気変換部から構成される回転速度検出器であって、
前記電気・磁気変換部は、
断面コ字状の磁性体であるコアと、
前記コアの一方の端部に設けられた第１永久磁石と、
前記第１永久磁石を端部に有する前記コアの一方の腕部にのみ巻回された検出コイルと、
前記検出コイルが巻回されない前記コアの他方の腕部を形成する第２永久磁石と、
から成り、
前記第２永久磁石は、前記第１永久磁石よりも磁力が大きくなるようにし、前記コアの両側にそれぞれ設けられた前記第１永久磁石と前記第２永久磁石は、異なる極性が隣接するように配置されたことを特徴とする回転速度検出器。
【請求項２】
前記第２永久磁石は、前記コアの腕部の長さ方向に、前記第１永久磁石よりも磁石の長さを長くしたことを特徴とする請求項１に記載の回転速度検出器。
【請求項３】
前記検出コイルが巻回された前記コアの腕部の中心は、前記検出板の厚み方向の中央部に配設され、前記検出コイルが巻回されない前記コアの腕部の中心は、前記検出板の厚み方向の縁部に配設されたことを特徴とする請求項１又は２に記載の回転速度検出器。
【請求項４】
前記コアのコ字状の断面は、前記検出板の回転軸方向と斜めに交差するように、前記コアが配置されたことを特徴とする請求項３に記載の回転速度検出器。
【請求項５】
前記コアの第１永久磁石端と第２永久磁石端の前記検出板の周方向の間隔Ｐは、前記検出板の凸部間隔Ｔに対して、Ｐ＝ｎ×Ｔ（ｎ＝０〜３）となるように、前記コアが配置されたことを特徴とする請求項１に記載の回転速度検出器。
【発明の詳細な説明】
【技術分野】
【０００１】
本発明は、列車や自動車等の車両や工作機器等に用いられ、モータ等の回転速度を検出する回転速度検出器の構造に関するものである。
【背景技術】
【０００２】
従来から、断面コ字状の磁性体であるコアと、コア上に巻回されコア中の磁束密度の変化を電気信号に変換する検出コイルと、コアの端部にあってコアに磁束を供給する永久磁石とを有する電気・磁気変換部と、被検出物と同期して回転する円盤状の磁性体であって、その端面には円周方向に順次凹部と凸部とを有する検出板とを備えた構成の回転速度検出器が知られている（例えば、特許文献１を参照。）。
【０００３】
上記の従来の回転速度検出器では、コアの端部にコアに磁束を供給する永久磁石を配置することにより、製造が容易になると共に、磁束が効率よく磁路に供給され、起電力が向上するという利点がある。
しかしながら、図２に示すように、従来の回転速度検出器は、断面コ字状のコアの両腕部にそれぞれ分割して検出コイルが均等に巻回されているために、各検出コイルは互いに接触しないところまでしか巻回できないといった制約があり、起電力を向上させるために検出コイルの巻数を増やすには線径を小さくしなければならなかった。線径を小さくすると、断線し易くなり、信頼性が低下する。そのため、限定されたスペースに多くの検出コイルを巻回させるという要求と、検出コイルの線径を太くして断線し難くして信頼性を向上させる要求とは、トレードオフの関係にあった。
また、従来の回転速度検出器では、検出コイル２個を直列に接続する必要があるため、接続の信頼性を確保する必要があった。
【先行技術文献】
【特許文献】
【０００４】
【特許文献１】特開平１１−２２３６４１号公報
【発明の概要】
【発明が解決しようとする課題】
【０００５】
本発明は、限定されたスペースに多くの検出コイルを巻回させるという要求と、検出コイルの線径を太くして断線し難くして信頼性を向上させる要求とがトレードオフの関係では無く、限定されたスペースに太い検出コイルを多く巻回させることができるように、従来の回転速度検出器の構成を改良したものである。
すなわち、本発明は、検出コイルが断線し難い優れた信頼性を確保し、限定されたスペースに収納できる小型高出力の回転速度検出器を提供することを目的とする。
【課題を解決するための手段】
【０００６】
上記目的を達成すべく、本発明の第１の観点の回転速度検出器は、円周方向に順次凹部と凸部が設けられ回転する円盤状の磁性体である検出板と、該検出板の回転速度を検出する電気・磁気変換部から構成される回転速度検出器であって、
電気・磁気変換部は、
１）断面コ字状の磁性体であるコアと、
２）コアの一方の端部に設けられた第１永久磁石と、
３）第１永久磁石を端部に有するコアの一方の腕部にのみ巻回された検出コイルと、
４）検出コイルが巻回されないコアの他方の腕部を形成する第２永久磁石と、
から成り、第２永久磁石は、第１永久磁石よりも磁力が大きくなるようにし、
５）コアの両側にそれぞれ設けられた第１永久磁石と第２永久磁石は、異なる極性が隣接するように配置された構成である。
【０００７】
かかる構成によれば、コアの腕部の片側のみに検出コイルが巻回されることで、検出コイルの円筒外径を大きくすることができるので、従来と比べて、多くの検出コイルを巻回することができ、或いは、検出コイルの線径を太くできる。検出コイルの線径を太くできることにより、検出コイルが断線し難くなり、検出器の信頼性を向上させることができる。太い線径の検出コイルを用いることにより、巻回時や動作時における振動衝撃などによる断線のリスクを低減できる。
【０００８】
ここで、コアは磁路に平行な断面がコ字状であって、端部を検出板の端面に対向しうるものであればその大きさや形状は特に限定されるものではない。また、コアの断面も厳密な意味でのコ字状のものに限定されず、Ｕ字状やＣ字状に近い形状でもよい。コアの磁路に垂直な断面形状は、特に限定されず円形であっても角型であってもよい。好ましくは、円形や楕円形が好ましい。また、コアの材質は、磁性体であれば特に限定されず、電磁軟鉄、ケイ素鋼、パーマロイ、フェライト、アモルファス合金等の高透磁率材が好適に用いられる。
【０００９】
また、コアの端部に設けられる永久磁石は、必要な起電力を生じるための磁束を供給しうるものであれば特に限定されず、大きさや形状は任意である。好ましくは、コアの垂直断面形状に等しい断面形状を有する円柱体または角柱体がよい。永久磁石として、例えば、フェライト系、アルニコ系、ネオジム系、サマリウム・コバルト系などが好適に用いられる。
【００１０】
また、コアの両側にそれぞれ設けられた第１永久磁石と第２永久磁石は、異なる極性が隣接するように配置されることにしたのは、第１永久磁石と第２永久磁石が互いに干渉せず磁気的に直列機能を持たせるためである。
【００１１】
上記の検出コイルが巻回されたコアの腕部の中心は、検出板の厚み方向の中央部に配設され、検出コイルが巻回されないコアの腕部の中心は、検出板の厚み方向の縁部に配設されることが好ましい。本発明の回転速度検出器は、磁束変化を検出する検出コイルはコアの片側の腕部のみに巻回されていることから、検出コイルが巻回されたコアの腕部の中心を検出板の厚み方向の中央部に配設させて、コアと検出板で形成される磁路から漏れ磁束を少なくする。また、コアは、検出器が２出力を得るために、通常、同じ構成のものが一対として配置されることから、検出コイルが巻回されないコアの腕部の中心は、検出板の厚み方向の縁部に配設させる。
【００１２】
また、コアのコ字状の断面が検出板の回転軸方向と斜めに交差するようにコアが配置されることが小型化に好ましい。
従来の回転速度検出器では、検出板に対するコアの配置は、コアのコ字状断面が、検出板の回転軸方向と平行となるように配置されている。これは、コアの両端部が、検出板の回転により同時に凸部または凹部と対向するような位置に配置されるようにするためである。同時に凸部または凹部と対向するような位置に配置することで、コアの両端部が、検出板の回転により同時に凸部と対向した場合に、検出板内を通る磁束を最も多くすることができ、逆に検出板の回転によりコアの両端部が、同時に凹部と対向した場合には検出板内を通る磁束密度を最も少なくすることができる。
【００１３】
一方、本発明の回転速度検出器では、コアの片側の腕部のみに検出コイルが巻回されており、それにより太い線径の検出コイルを多く巻回できる。そして、検出コイルが巻回されたコアの腕部の中心を検出板の厚み方向の中央部に配設させて、コアと検出板で形成される磁路から漏れ磁束を少なくしている。
このため、コアのコ字状の断面が検出板の回転軸方向と斜めに交差するようにコアを配置することにより、検出コイルが巻回されたコア同士を近接して配置させ、これらを一体とした回転速度検出器の小型化を図ることができる。
【００１４】
また、コアの第１永久磁石端と第２永久磁石端の検出板の周方向の間隔Ｐは、検出板の凸部間隔Ｔに対して、Ｐ＝ｎ×Ｔ（ｎ＝０〜３）となるように、コアが配置されたことが好ましい。コアは、検出器が２出力を得るために、通常、同じ構成のものが一対として配置される。この場合、検出板の凸部間隔Ｔに対して、コアの第１永久磁石端と第２永久磁石端の検出板の周方向の間隔Ｐを調整する。なお、Ｐ＝ｎ×Ｔ（ｎ＝０）の場合は、コアの第１永久磁石端と第２永久磁石端が、検出板の同じ凸部に配置される。
【００１５】
また、検出コイルの線径は、できるだけ太い方が好ましい。
検出コイルに使用される材料としては、通常のコイル、トランス、モータ等に使用される線材であれば使用可能であり、特に限定されるものではない。好ましくは、例えば、ポリウレタン線、ポリエステルエナメル線等のマグネットワイヤーである。
従来の回転速度検出器では、この検出コイルの線径としては、限られたスペースにより多く巻く必要があったため、細い線径の検出コイルを使わざるを得ず、また線径が太すぎると検出コイルが大きくなり、十分な巻数を確保するためには、検出器のサイズが大きくなるという問題があった。
本発明の回転速度検出器では、コアの片側の腕部のみに検出コイルが巻回されることから、検出コイルの線径を太くすることができ、断線し難く、信頼性の高い検出器を作製することができる。
【発明の効果】
【００１６】
本発明の回転速度検出器によれば、検出コイルが断線し難い優れた信頼性を確保でき、限定されたスペースに収納でき小型高出力であるといった効果を有する。
【図面の簡単な説明】
【００１７】
【図１】本発明の回転速度検出器における電気・磁気変換部と検出板の構成模式図
【図２】従来の回転速度検出器における電気・磁気変換部と検出板の構成模式図
【図３】従来の回転速度検出器の構成図と等価模式図
【図４】従来の回転速度検出器の構成変更図と等価模式図
【図５】本発明の回転速度検出器の磁束個別説明図
【図６】本発明の回転速度検出器の磁束合成説明図
【図７】一対のコアの配置例、（１）は本発明の回転速度検出器のもので、（２）は従来の回転速度検出器のもの
【図８】本発明の一対の電気・磁気変換部の構成図、（１）は平面図、（２）は正面図、（３）は底面図を示す。
【図９】本発明の回転速度検出器の内部構成正面図
【発明を実施するための最良の形態】
【００１８】
以下、本発明の実施形態について、図面を参照しながら詳細に説明していく。なお、本発明の範囲は、以下の実施例や図示例に限定されるものではなく、幾多の変更及び変形が可能である。
【００１９】
図１に、本発明の回転速度検出器における電気・磁気変換部と検出板の構成模式図（コアを検出板の軸と平行に配置した状態）を示す。図では、検出板８と電気・磁気変換部１から構成される回転速度検出器を示している。
検出板８は、図９に示すような、円周方向に順次凹部と凸部が設けられ回転する円盤状の磁性体である。
また、電気・磁気変換部は、検出板８の回転速度を検出するもので、図に示すように、断面コ字状の磁性体であるコア３と、コア３の一方の端部に設けられた第１永久磁石５と、第１永久磁石５を端部に有するコアの一方の腕部に巻回された検出コイル４と、検出コイルが巻回されないコアの他方の腕部を形成する第２永久磁石６とから構成される。
第２永久磁石６は、第１永久磁石５よりも磁力が大きくなるように、永久磁石の長さを長くしている。
【００２０】
上述した従来の回転速度検出器の構成模式図（図２参照）と比較してわかるように、本発明の回転速度検出器の場合、コア３の一方の腕部にのみ検出コイルが巻回されるため、検出コイルの巻くスペースが大きくとれる。これにより、検出コイルの線径を太くすることが可能であり、検出コイルの信頼性を向上できる。
【００２１】
図３（１）は、従来の回転速度検出器の構成図である。検出コイル１１ａと検出コイル１１ｂが断面コ字状のコアの両腕部に巻回されている。検出コイル（１１ａ，１１ｂ）を鎖交する磁束である有効磁束（１０，１０ａ）は、コアの両方の腕部の内部を通っている。図３（１）（２）に示すように、検出コイル１１ａと検出コイル１１ｂは、端子Ａと端子Ｂの間に直列に接続され、コア中の磁束密度の変化を電気信号に変換する。
また、永久磁石１２ａと永久磁石１２ｂは、コアの両腕の端部にあり、コアに磁束を供給する。
従来の回転速度検出器の場合、検出コイル１１ａと検出コイル１１ｂは、コアの両腕部にそれぞれ分割して検出コイルが均等に巻回されているために、各検出コイルは互いに接触しないところまでしかコイルを巻回できないといった制約がある。また、検出コイル１１ａと検出コイル１１ｂを直列に接続する必要があるため、接続の信頼性を確保する必要がある。
【００２２】
次に、従来の回転速度検出器の構成において、図４を用いて、検出コイル４のみが断面コ字状のコアの一方の腕部に巻回された場合について説明する。図４（１）（２）に示すように、検出コイル４のみが、端子Ａと端子Ｂの間に直列に接続され、コア中の磁束密度の変化を電気信号に変換する。永久磁石１２ａと永久磁石１２ｂは、コアの両腕の端部にあり、コアに磁束を供給するものの、永久磁石１２ｂが供給する磁束は検出コイル４をほとんど鎖交せず無効磁束１０ｂとなる。
検出コイル１１ａと検出コイル１１ｂを直列に接続するものから、検出コイル４のみ接続するものに変えることにより、検出コイルの巻数の増加による電気信号の増大や、検出コイルの線径を大きくすることによる検出コイルの信頼性向上や、２個の検出コイルの直列接続部分がなくなることによる信頼性向上が図れるという利点があるものの、無効磁束１０ｂによる無駄が発生し、高出力を得るのが困難であることがわかる。
【００２３】
そこで、本発明の回転速度検出器は、検出コイルが巻回された腕部の永久磁石１２ａよりも検出コイルが巻回されない腕部の永久磁石１２ｂの磁力を大きくすることにした。図５は本発明によるそれぞれの永久磁石が供給する磁束を個別に示すもので、図５（１）は永久磁石５の場合、図５（２）は永久磁石６の場合を示す。図５（１）は、永久磁石５が供給する磁束１４のほとんどが検出コイル４を鎖交して有効磁束となっていることを示している。また、図５（２）は、永久磁石６自体がコア３の腕部を形成した場合に、永久磁石６が供給する磁束１３の大半は無効磁束１３ｂがあるものの検出コイル４を鎖交して有効磁束となっていることを示している。
【００２４】
図６は、図５の（１）と（２）を合成した形であり、永久磁石５と永久磁石６が発生する磁束（１３，１４）において、永久磁石５端の極性と永久磁石６端の極性とが異なる配置にすることにより、直列機能が働き磁束が合成され、検出コイル４を鎖交して有効磁束（１３，１４）が増大化することを示している。検出コイル４を巻回しないコアの腕部に磁力の大きい永久磁石６を配置することにより、検出コイル４を鎖交する有効磁束が増大できる。
本発明の回転速度検出器は、コアの一方のみ検出コイルを巻回することによって、検出コイルの巻回スペースに余裕をもたせて、検出コイルの線径を太くすることにより検出コイルの信頼性を向上すると共に、検出コイルを鎖交する有効磁束を増大させるために検出コイルを巻回しない側に磁力の大きい永久磁石を配置したのである。
【００２５】
次に、実際の回転速度検出器の構成例について説明する。
コアは、検出器が２出力を得るために、通常、同じ構成のものが一対として配置される。図７は、一対のコアの配置図である。図７（１）は本発明の回転速度検出器のもので、図７（２）は従来の回転速度検出器のものである。図７（１）に示すように、本発明の回転速度検出器では、コア３のコ字状の断面が検出板の回転軸方向（図中の矢印方向）と斜めに交差するようにコア３を配置することにより、検出コイル４が巻回されたコア同士を近接して配置させ、これらを一体とした回転速度検出器の小型化を図っている。
Ｓ，Ｎは、それぞれの永久磁石端の極性を示すもので、コア（３，３ａ）端の極性は異なる配置としている。
【００２６】
図８は、本発明の一対の電気・磁気変換部の構成図である。
図８（１）〜（３）は、それぞれ一対の電気・磁気変換部の平面図、正面図、底面図である。検出コイルが巻回された方のコアの腕部が、検出板（図示せず）の中心方向に向くようにするため、図８（２）に示すように、各検出コイルを傾けている。
【００２７】
また、図９は、本発明の回転速度検出器の内部構成正面図である。
電気・磁気変換部は、図９に示すような固定ケース２１に装着される。固定ケース２１は取り付けフランジ２５を有し、被測定物の取り付け台に取り付けられる。また、電気信号出力用ケーブル２７の取付け金具２９を有し、ケーブル２７を固定する。固定ケース２１の材料は、ステンレスやアルミ、銅などの非鉄金属である。固定ケース２１内にはケーブル２７とのケーブル接続用端子２３があり、電気・磁気変換部の検出コイル４からの配線とケーブル２７とを接続している。
【産業上の利用可能性】
【００２８】
本発明は、列車や自動車などの車両や機械設備の動力源のモータ等の回転体の速度検出器として有用である。高い安全性や信頼性が要求され、使用環境が過酷な列車、自動車等において高信頼性・高出力の優れた性能を発揮できる。
【符号の説明】
【００２９】
１，１ａ  電気・磁気変換部
３，３ａ  コア
４  本発明の場合の検出コイル
５  第１永久磁石
６  第２永久磁石
７  電線
８  検出板
１０，１０ａ，１０ｂ  従来の場合の磁束
１１ａ，１１ｂ  従来の場合の検出コイル
１２ａ，１２ｂ  従来の場合の永久磁石
１３，１３ｂ  本発明の場合の第２永久磁石の磁束
１４，１４ａ    本発明の場合の第１永久磁石の磁束
２１  固定ケース
２３  ケーブル接続用端子
２５  取付けフランジ
２７  ケーブル
２９  ケーブル固定金具
３０  検出板の回転方向
Ｐ    本発明の場合の永久磁石端の周方向間隔
Ｔ    検知板の凸部間隔
Ｓ    永久磁石のＳ極
Ｎ    永久磁石のＮ極
【図１】
0005793324.tif 000002
【図２】
0005793324.tif 000003
【図３】
0005793324.tif 000004
【図４】
0005793324.tif 000005
【図５】
0005793324.tif 000006
【図６】
0005793324.tif 000007
【図７】
0005793324.tif 000008
【図８】
0005793324.tif 000009
【図９】
0005793324.tif 000010